(57)【特許請求の範囲】
【請求項１】
略管状であり、パイプ挿入側端部と他側端部の間を軸方向に貫通する内孔を持ち、管壁を貫通して内孔に達する貫通孔が形成されているコネクタ本体と、
略リング状であり、コネクタ本体の外周に組み付けられ、内側に突出してコネクタ本体の貫通孔を貫通してコネクタ本体の内孔内に伸びる爪を有するリテーナを備え、
前記貫通孔の軸方向長さが前記爪の軸方向長さよりも長く、リテーナがコネクタ本体に対して軸方向にスライド可能であり、リテーナのスライドによって露出したり被覆されたりする部分のコネクタ本体の外面の色が、全周に亘って所定幅をもってコネクタ本体の残部の色とリテーナの色のいずれとも相違し、
コネクタ本体には、第１位置決め用凹部と第２位置決め用凹部が設けられ、
リテーナには、位置決め用凸部が設けられており、
リテーナがコネクタ本体に対して他側端部側にスライドした第１位置に位置決めされると、リテーナの位置決め用凸部がコネクタ本体の第１位置決め用凹部に係合し、
リテーナがコネクタ本体に対してパイプ挿入側端部側にスライドした第２位置に位置決めされると、リテーナの位置決め用凸部がコネクタ本体の第１位置決め用凹部に係合することを特徴とする接続完了インディケータ付きコネクタ。
【請求項２】
コネクタ本体の異色部が、塗膜、着色テープ、着色リング、または、２色成形部のいずれかで形成されていることを特徴とする請求項１に記載の接続完了インディケータ付きコネクタ。
【請求項３】
リテーナの爪のパイプ挿入側端面に、コネクタ本体の管壁に内側から接する突出部が形成されていることを特徴とする請求項１又は２に記載の接続完了インディケータ付きコネクタ。
【発明の詳細な説明】
【０００１】
【発明の属する技術分野】
本発明は、パイプやチューブやホース類を接続するコネクタに関する。
【０００２】
【従来の技術】
図５と図６に示すように、コネクタ本体６４とパイプ８０を利用して、パイプやチューブやホース類を接続するコネクタ６２が知られている。
コネクタ本体６４は略管状であり、パイプ挿入側端部７２と他側端部６６の間を軸方向に貫通する内孔７４を持っている。パイプ８０は中間部に膨出部７６を備えている。このコネクタ６２では、コネクタ本体６４にパイプ８０を挿入することによってコネクタ本体６４にパイプ８０が抜け止めされた状態に接続する。そのために、コネクタ本体６４の内側には傾斜して突出する一対の爪７０を設けるとともに、その一対の爪７０の傾斜方向を、パイプ膨出部７６の挿入方向Ｈ側への通過を許して、逆方向Ｄ側への通過を許さない方向に設定しておく。このために、パイプ８０がコネクタ本体６４に対して挿入自在でありながら、一旦挿入されるとパイプ８０がコネクタ本体６４から抜け出ることを禁止する接続関係を得ることができる。
コネクタ本体６４のパイプ８０が挿入されないほうの端部６６に第１の管類を接続し、パイプ８０の後端７８に第２の管類を接続しておけば、コネクタ本体６４にパイプ８０を挿入することによって、第１の管類と第２の管類が接続され、しかも、抜け止めされる。
【０００３】
特開２０００-５５２６８号公報に記載の技術では、パイプ８０の膨出部７６が一対の爪７０間を通過して抜け止め位置に挿入されたことを外部から確認できるようにするために、一対の爪７０の先端部８２をコネクタ本体６４の外部から覗くための一対の窓６８を設けておくとともに、パイプ８０の膨出部７６の色をパイプ残部から相違する色に着色しておく。
爪７０の先端部８２を覗く窓６８からパイプ８０の膨出部７６の色が観測される場合に、パイプ膨出部７６が一対の爪７０間を通過して抜け止め位置に挿入されたことが確認される。
【０００４】
【発明が解決しようとする課題】
従来のコネクタでは、接続完了を示すインディケータが、覗き窓６８とパイプ膨出部７６の色で構成されており、確認のためには覗き窓６８内を覗き見なければならない。このために、配管スペースが限られた中でコネクタ６２が用いられるような場合、作業者が見やすい位置に覗き窓６８が位置しておらず、コネクタ本体６４の管壁が位置しているようなことがある。この場合には確認作業をすることができない。
【０００５】
本発明では、接続完了を示すインディケータが種々の方向から確認できるコネクタを実現する。
【０００６】
【課題を解決するための手段と作用と効果】
本発明の接続完了インディケータ付きコネクタは、コネクタ本体とリテーナとを備えている。コネクタ本体は、略管状であり、パイプ挿入側端部と他側端部の間を軸方向に貫通する内孔を持ち、管壁を貫通して内孔に達する貫通孔が形成されている。リテーナは、略リング状であり、コネクタ本体の外周に組み付けられ、内側に突出してコネクタ本体の貫通孔を貫通してコネクタ本体の内孔内に伸びる爪を有する。コネクタ本体の貫通孔の軸方向長さがリテーナの爪の軸方向長さよりも長く、リテーナがコネクタ本体に対して軸方向にスライド可能である。リテーナのスライドによってコネクタ本体の外面の一部は、リテーナから露出したり、リテーナで被覆されたりする。その露出したり被覆されたりする部分のコネクタ本体の外面の色が、全周に亘って所定幅をもってコネクタ本体の残部の色とリテーナの色のいずれとも相違する色とされている。コネクタ本体には、第１位置決め用凹部と第２位置決め用凹部が設けられ、リテーナには、位置決め用凸部が設けられており、リテーナがコネクタ本体に対して他側端部側にスライドした第１位置に位置決めされると、リテーナの位置決め用凸部がコネクタ本体の第１位置決め用凹部に係合し、リテーナがコネクタ本体に対してパイプ挿入側端部側にスライドした第２位置に位置決めされると、リテーナの位置決め用凸部がコネクタ本体の第１位置決め用凹部に係合するようになっている。
【０００７】
本発明の接続完了インディケータ付きコネクタは、リテーナがコネクタ本体に対して軸方向にスライド可能である。また、パイプの挿入の前後でリテーナがコネクタ本体に対してスライドして位置を変えることによって接続が完了したことがわかる。
例えば、パイプの挿入前にリテーナがコネクタ本体の他側端部側に位置しており、パイプ挿入後にリテーナがコネクタ本体のパイプ挿入側端部側にスライドしていれば、パイプを挿入し、挿入されたパイプを抜いてみて抜け止めされていることを確認した操作がなされたことがわかる。あるいは、パイプの挿入前にリテーナがコネクタ本体のパイプ挿入側端部側に位置しており、パイプ挿入後にリテーナがコネクタ本体の他側端部側にスライドしていれば、パイプを挿入する操作がなされたことがわかる。前者の確認方法の方が確実であるが、後者の方法でも接続が完了したことが確認できる。
このコネクタでは、見えていた異色部の色が見えなくなったこと、あるいは、見えていなかった異色部の色が見えるようになったことから、コネクタ本体に対するリテーナのスライド位置が確認でき、色が見えるか見えないかで接続が完了したか否かを確認することができる。しかも、異色部はコネクタ本体の外面に形成されており、覗き窓から覗き込む必要がない。
【０００９】
本発明の接続完了インディケータ付きコネクタは、第１位置と第２位置のそれぞれに位置決め手段が形成されており、パイプの挿入操作と無関係にリテーナとコネクタ本体の相対的位置関係が変化してしまうことがない。このために、色が見えるか見えないかで確実に接続の完了が確認される。
この場合、パイプ挿入前にはリテーナを第１位置に位置決めしておき、パイプ挿入後に第２位置に移動していることで接続の完了を確認する使い方をすることが好ましい。この使い方をすると、接続の完了が確認されるのみならず、挿入したパイプを抜いてみて抜け止めされていることを確認する操作がなされたことまで確認できる。
この場合、異色部をリテーナの他側端部側に用意しておき、最初は見えなかった異色部が見えるようになったことでリテーナのスライドを確認しても良い。あるいは、異色部をリテーナのパイプ挿入側端部側に用意しておき、最初は見えていた異色部が見えなくなったことでリテーナのスライドを確認しても良い。後者の場合には、リテーナが完全に第２位置に移動して異色部が完全に隠れたときに接続の完了が確認されるために、確認の信頼性が高い。
【００１０】
コネクタ本体の異色部は、塗膜、着色テープ、着色リング、または、２色成形等で形成される。
【００１１】
上記によって異色部が形成されていると、その部分が他の部分とは異色であることが視認され易い。
【００１２】
更にリテーナの爪のパイプ挿入側端面に、コネクタ本体の管壁に内側から接する突出部が形成されていることが好ましい。
【００１３】
この構造では、リテーナがパイプ挿入側端部側にスライドすることで、爪の突出部がコネクタ本体の管壁に内側から接する。この結果、リテーナが広がることを禁止される。即ち、リテーナがパイプ挿入側端部側にスライドしている状態では、リテーナによる抜け止め作用がロックされてしまう。このために、パイプ引き抜き方向に強大な力が作用しても、パイプがコネクタ本体から不本意に抜けてしまうことがない。
【００１４】
【発明の実施の形態】
この発明は、また、下記の形態で実施することを特徴とする。
（形態１）  コネクタ本体のパイプ挿入側端部よりに第１異色部が形成され、他側端部よりに第２異色部が形成されている。
この場合、見えていた第１異色部が隠れること、あるいは、見えていなかった第２異色部が見えることで、接続されたパイプが抜け止めされているかいないかの確認操作が行なわれたことが確認される。
（形態２）第１異色部のみで、第２異色部が省略されている。
（形態３）第２異色部のみで、第１異色部が省略されている。
異色部は一個あれば足り、リテーナの両サイドにある必要はない。
【００１５】
【実施例】
以下、本発明を具現化した実施例を説明する。最初に図１と図２を用いて、本実施例のコネクタの構造を説明する。
本実施例のコネクタ２は、コネクタ本体４とリテーナ２８（図２〜４参照）とＯリング４２、４６とスペーサ４４、４８（図３、図４参照）を組合せることによって構成されている。
コネクタ本体４は略管状であり、パイプ挿入側端部１６と他側端部６との間に、リテーナスライド部１４とパイプ受入部８と第１管接続部５を同軸に備えている。また、パイプ挿入側端部１６と他側端部６との間を軸方向に貫通する内孔１８を持つ。内孔１８は、リテーナスライド部１４、パイプ受入部８、第１管接続部５の順にその内径が縮径している（図３参照）。
【００１６】
リテーナスライド部１４の軸方向の両サイドには、鍔１２と鍔１５が設けられている。リテーナスライド部１４には、その管壁を貫通して内孔１８に達する一対の貫通孔１０が形成されている。一対の貫通孔１０は、ほぼ１８０度間隔で２箇所に形成されている。
【００１７】
図１によく示されるように、リテーナスライド部１４のパイプ挿入側端部１６よりに第１異色部Ｃ１が形成されている。同様に、リテーナスライド部１４の他側端部６よりに第２異色部Ｃ２が形成されている。本実施例では、第１異色部Ｃ１及び第２異色部Ｃ２は、リテーナスライド部１４の全周に亘って所定幅をもって塗装することにより形成されている。第１異色部Ｃ１及び第２異色部Ｃ２の色は、コネクタ本体４の残部の色とリテーナ２８の色のいずれとも相違する。第１異色部Ｃ１及び第２異色部Ｃ２の色は、顕著に視認され易い色から選択される。第１異色部Ｃ１の色と第２異色部Ｃ２の色は相違していても良いし、同一であっても良い。
【００１８】
リテーナスライド部１４周上で、第１異色部Ｃ１の近傍に第１位置決め用凹部５２（図３、４参照）が設けられている。また、パイプ挿入側端部１６に、第２位置決め用凹部２０が設けられている（図１、図４参照）。
【００１９】
図３と図４によく示されるように、パイプ受入部８内には、Ｏリング４２とＯリング４６が装入されている。そのＯリング４２とＯリング４６は、パイプ受入部８内にスペーサ４４とスペーサ４８を圧入することによって固定されている。
【００２０】
図２は、リテーナ２８の正面図である。図２に良く示されるように、リテーナ２８は略リング状である。図中３２は分断部であり、その近傍につまみ３４が設けられている。リテーナ２８はばね性を持つ。
リテーナ２８の内壁には、内側に伸びる一対の爪３０が設けられている。一対の爪３０は、ほぼ１８０度間隔で２箇所形成されている。
リテーナ２８はコネクタ本体４のリテーナスライド部１４の外周に組み付けられる。組付けられた状態で一対の爪３０は一対の貫通孔１０に嵌り込み、爪３０の先端は内孔１８内に突出する。図３に示すように、爪３０のパイプ挿入側の端面はテーパ面３８となっていてパイプ挿入側端部１６に向かって開いている。そこで、パイプ２２を図３の右から左へＨ方向に挿入する場合、パイプ２２の膨出部２４がリテーナ２８を押し広げて一対の爪３０の間を通り抜けることができる。図３は膨出部２４が一対の爪３０の間を通過するまで挿入された状態を示す。この状態とするために、リテーナ２８を押し広げる操作は必要とされない。
リテーナ２８のつまみ３４に指をかけてリテーナ２８をコネクタ本体４に対して回転させると、爪３０の周方向に形成されているテーパ面３１によってリテーナ２８は広げられ、パイプ２２を抜くことができる。リテーナ２８を意図的に広げない限り、パイプ２２の膨出部２４は一対の爪３０の間を左から右へＤ方向には通り抜けることができない。
従って、このコネクタ２の場合、パイプ２２をコネクタ本体４に挿入するだけでパイプ２２はコネクタ本体４に抜け止めされた状態で接続される。
【００２１】
図３、４に良く示されるように、爪３０の軸方向長さは貫通孔１０の軸方向長さよりも短い。また、鍔１２と鍔１５間の距離は、リテーナ２８の軸方向長さよりも長い。このために、リテーナ２８はコネクタ本体４に対して軸方向にスライドすることができる。図２と図３に良く示されるように、リテーナ２８には、コネクタ本体４に対するスライドを規制して軸方向位置を決めるための凸部４０が設けられている。凸部４０がコネクタ本体４の第１位置決め用凹部５２に係合したときに、リテーナ２８が他側端部６側に位置しており（第１位置、図３）、凸部４０がコネクタ本体４の第２位置決め用凹部２０に係合したときに、リテーナ２８がパイプ挿入側端部１６側に位置している（第２位置、図４）。
【００２２】
爪３０のパイプ挿入側の端面には突出部３６（図２、３、４参照）が形成されている。突出部３６は、リテーナ２８がパイプ挿入側端部１６側にスライドしたとき（図４）に、コネクタ本体４の管壁に内側から当接してリテーナ２８が開くことを禁止する。即ち、突出部３６は、リテーナ２８を抜け止め状態にロックする。
【００２３】
パイプ２２の中間部に膨出部２４が形成されている。膨出部２４の外径は、リテーナスライド部１４内部を通過できる大きさであるが、Ｏリング４２、Ｏリング４６、スペーサ４４、スペーサ４８が装入されているパイプ受入部８の内部に挿入できる大きさではない。膨出部２４より前端側（コネクタ本体４の内孔１８に挿入される側）のパイプ２２の外径は、パイプ受入部８内部に挿入できる太さである。
【００２４】
コネクタ２の断面を模式的に示した図３、４を用いて、本実施例のコネクタ２の接続方法及び作用を説明する。
コネクタ本体４の一対の貫通孔１０にリテーナ２８の一対の爪３０を貫通させてリテーナ２８をコネクタ本体４のリテーナスライド部１４の外周に組付ける。この際、一方の爪３０を一方の貫通孔１０に貫通させてから、リテーナ２８の内壁とリテーナスライド部１４の外面の当接部をてこにして、リテーナ２８のつまみ３４を持ってリテーナ２８を外側に広げながら（即ち、分断部３２を広げながら）装着するのが好ましい。一対の爪３０が一対の貫通孔１０に嵌りこむと、リテーナ２８はばね性を持つので、リテーナ２８の内壁はリテーナスライド部１４の外面に当接する。爪３０の先端はリテーナスライド部１４の管壁から内側に突出する。
【００２５】
最初は、リテーナ２８の凸部４０がコネクタ本体４の第１位置決め用凹部５２に係合し、リテーナ２８が他側端部６側に位置している第１位置（図３の位置）におかれる。
【００２６】
パイプを接続するために、パイプ挿入側端部１６側からコネクタ本体４の内孔１８にパイプ２２を矢印Ｈ方向に挿入すると、膨出部２４が一対の爪３０のテーパ面３８に当接する。パイプ２２をコネクタ本体４に対して矢印Ｈ方向にさらに深く挿入すると、膨出部２４が一対のテーパ面３８を外側に押し広げながら、即ち、リテーナ２８外側に押し広げながら、パイプ２２がコネクタ本体４内に深く挿入されていく。
膨出部２４が一対の爪３０の間を完全に通過すると、リテーナ２８はばね性を持つので縮径し、一対の爪３０の先端はリテーナスライド部１４の管壁から再度突出する。
【００２７】
リテーナ２８の位置決め用凸部４０がコネクタ本体４の第１位置決め用凹部５２に係合しているために、リテーナ２８は第１位置に維持される。図３に良く示されるように、膨出部２４が一対の爪３０間を通過した後も、リテーナ２８は第１位置にある。
リテーナ２８がコネクタ本体４に対して第１位置にあるときは、第１異色部Ｃ１は露出されているので、その第１異色部Ｃ１は種々の方向から観察することができる。一方、第２異色部Ｃ２はリテーナ２８によって被覆されているのでその第２異色部Ｃ２はいずれの方向からも観察することはできない。
【００２８】
パイプ２２の挿入工程終了後に、コネクタ本体４とパイプ２２が正しく接続されているか否かを確認するために、コネクタ本体４に対してパイプ２２を矢印Ｄ方向に引くという確認工程を実施する。確認工程を実施することにより、膨出部２４が一対の爪３０を矢印Ｄ方向に押し、その結果リテーナ２８が矢印Ｄ方向にスライドし、リテーナ２８が第２位置に位置決めされる。リテーナ２８とコネクタ本体４の第２位置での位置関係を図４に示す。
【００２９】
パイプの挿入前には、リテーナ２８の位置決め用凸部４０がコネクタ本体４の第１位置決め用凹部５２に係合している。そのために、リテーナ２８がみだりに第２位置にスライドすることがない。
第１位置から第２位置に移動するのは、図３に示すように膨出部２４が一対の爪３０間を通過し、その後に抜け止めされているか否かを検査するために、作業者がパイプ２２を矢印Ｄ方向に引いた場合に限られる。即ち、リテーナ２８が第２位置にあるのは、それに先立って膨出部２４が一対の爪３０間を通過するまで挿入され、それから抜け止めされているか否かが検査されたときに限られる。
【００３０】
リテーナ２８が第２位置から第１位置にスライドした場合、見えていた第１異色部Ｃ１が見えなくなり、隠れていた第２異色部が見えるようになる。この現象は、種々の方位から観測することができる。
この場合、接続の完了を示すこと、即ち、リテーナ２８が第２位置にあることが、第１異色部Ｃ１が見えないこと、あるいは、第２異色部Ｃ２が見えることによって確認される。この場合、第１異色部Ｃ１が見えないこと、あるいは、第２異色部Ｃ２が見えることが接続の完了を示すインディケータであり、このインディケータは種々の方向から観測できる。
【００３１】
図４に良く示されるように、リテーナ２８が第２位置にあるとき、リテーナ２８の位置決め用凸部４０はコネクタ本体４の第２位置決め用凹部２０に係合している。そのため、リテーナ２８とコネクタ本体４の間の位置関係（第２位置）が不本意に変化してしまうことがない。
このために、膨出部２４が爪３０間を通過するまで挿入され、その後に抜け止めされているか否かを検査したにもかかわらず、リテーナ２８が勝手に第１位置に戻って、第１異色部Ｃ１が見える状態となること、あるいは、第２異色部Ｃ２が見えない状態となることがない。
第１異色部Ｃ１が見えないこと、あるいは、第２異色部Ｃ２が見えることは、それに先立ってパイプの２２の膨出部２４が一対の爪３０間を通過するまで挿入され、その後に抜け止めされているか否かが検査されたか否かに正確に対応するように工夫されている。
【００３２】
リテーナ２８が第２位置にあるときは、爪３０が貫通孔１０の壁面に対して軸方向に当接している。従って、リテーナ２８の矢印Ｄ方向へのそれ以上の移動は禁止されている。
また、このとき、爪３０の突出部３６がコネクタ本体４（詳しくはリテーナスライド部１４）の管壁に内側から接するので、リテーナ２８がコネクタ本体４の管壁に垂直な方向に広げられてしまうことがない。そのため、リテーナ２８がコネクタ本体４から不本意に外れてしまうことがない。
【００３３】
図４に示されるように、リテーナ２８とコネクタ本体４とが第２位置にあるときは、突出部３６によってリテーナ２８は外側に押し広げられないようにしてコネクタ本体４に定着する。従って、リテーナ２８が第２位置にあるときは、コネクタ本体４に対してパイプ２２を矢印Ｄ方向に引く強大な力が作用しても、膨出部２４が一対の爪３０を押し広げることができない。リテーナ２８の一対の爪３０によるパイプ２２の抜け止め状態が、突出部３６によってロックされる。第１異色部Ｃ１が見えないこと、あるいは、第２異色部Ｃ２が見えることは、接続の完了を示すと同時に、突出部３６によって抜け止め状態がロックされていることをも示す。
【００３４】
コネクタ本体４のパイプ２２が挿入されないほうの端部６に第１の管類を接続し、パイプ２２の後端２６に第２の管類を接続しておけば、コネクタ本体４にパイプ２２を挿入することによって第１の管類と第２の管類が接続され、しかも、抜け止めされる。
【００３５】
コネクタの接続作業において、挿入作業後に確認作業をすることは、自然な作業手順である。コネクタの接続作業が行われる現場においては通常、確認手順が実施される。挿入作業後に確認作業を実施しないという作業手順は不自然であるので、接続作業は完了していてもリテーナ２８が第２位置にスライドせずにインディケータが変化しないという事態は殆ど発生しない。
また通常は、確認作業を実施することを標準化されており、この場合には標準どおりに作業が行なわれたときに、第１異色部Ｃ１がリテーナ２８によって被覆され、第２異色部Ｃ２が露出している。この場合には、第１異色部Ｃ１が見えないか、あるいは、第２異色部Ｃ２が見えることによって、接続が完了し、しかも確認作業が手順通りに実施されたか否かということが後工程で確認できる。
【００３６】
第２位置において、第１異色部Ｃ１はリテーナ２８によって被覆され、第２異色部Ｃ２は露出される。第２位置では、第１異色部Ｃ１はいずれの方向から観察しても見えず、第２異色部Ｃ２は種々の方向から見ることができる。第１異色部Ｃ１が見えないこと、あるいは、第２異色部Ｃ２が見えるというインディケータは種々の方向から確認できる。そのため、配管スペースが限られた中でコネクタ２が用いられるような場合でも、確認作業をすることができる。
【００３７】
本実施例のリテーナスライド部１４周上には、第１異色部Ｃ１及び第２異色部Ｃ２が形成されているが、第１異色部Ｃ１又は第２異色部Ｃ２のいずれか一方のみが形成されていればよい。第１異色部Ｃ１のみが形成されている場合、第１異色部Ｃ１が被覆されることによって、コネクタ本体４の残部の色とリテーナ２８の色のいずれとも相違する色が観察されないということによって、接続完了が示される。また、第２異色部Ｃ２のみが形成されている場合、第２異色部Ｃ２が露出して、コネクタ本体４の残部の色とリテーナ２８の色のいずれとも相違する色が観察されるということによって接続完了が示される。
【００３８】
本実施例の第１異色部Ｃ１や第２異色部Ｃ２は、リテーナスライド部１４周上に塗装することにより形成されているが、着色粘着テープ、着色リング、または、２色成形部のいずれで形成されていても良い。第１異色部Ｃ１及び第２異色部Ｃ２を形成する場合、例えば、第１異色部Ｃ１は塗装、第２異色部Ｃ２は着色粘着テープによって形成するというように、それぞれどの形態で異色部を形成しても良い。また、いずれの形態においても、コネクタ本体４に容易に異色部を形成することができる。
【図面の簡単な説明】
【図１】  実施例に係るコネクタ本体とパイプを模式的に示した斜視図である。
【図２】  実施例に係るリテーナの正面図である。
【図３】  実施例に係るコネクタにおいて、リテーナが第１位置にあるときの断面図である。
【図４】  実施例に係るコネクタにおいて、リテーナが第２位置にあるときの断面図である。
【図５】  従来のコネクタ本体とパイプを模式的に示した斜視図である。
【図６】  従来のコネクタの側面断面図である。
【符号の説明】
２：コネクタ
４：コネクタ本体
１０：貫通孔
２０：第２位置決め用凹部
２２：パイプ
２４：膨出部
２８：リテーナ
３０：爪
４０：位置決め用凸部
５２：第１位置決め用凹部
Ｃ１：第１異色部
Ｃ２：第２異色部
【図１】
0004504556.tif 000002
【図２】
0004504556.tif 000003
【図３】
0004504556.tif 000004
【図４】
0004504556.tif 000005
【図５】
0004504556.tif 000006
【図６】
0004504556.tif 000007